(57)【要約】【課題】  組立て式什器を簡単に形成することができるプレートを提供し、該プレートを使用して迅速且つ容易に組立てることができる組立て什器を提供することを課題としている。【解決手段】  この考案の組立て什器用のプレートは、屑圧縮材，紙，ベニヤ，合成樹脂等の弾性材料からなり、長方形状の板の短辺１ａ側から外周側に向かって突出する複数の突起２が一体形成されている。また該突起２を所定の摩擦抵抗を伴って挿入及び脱抜することが可能な挿入孔３ａ，３ｂ，３ｃ，３ｄが複数穿設されている。さらに突起２の基端部がＲ面取り加工され、Ｒのサイズが、両Ｒ間の距離が、Ｒの途中で挿入孔３ａ，３ｂ，３ｃ，３ｄの幅サイズと一致するように設定されている。  またこの考案の組立て什器は、上記構成によるプレート１を部品とし、所定のプレート１の挿入孔３ａ，３ｃ，３ｄに他のプレート１の突起２を挿入することによって形成される。【選択図】  図１
0003108262.tif 000002
【実用新案登録請求の範囲】
【請求項１】
所定形状の板から外周側に向かって突出する複数の突起（２）と、該突起（２）と同一サイズの突起を、所定の摩擦抵抗を伴って挿入及び脱抜することが可能な挿入孔（３ａ），（３ｂ），（３ｃ），（３ｄ）が複数穿設された弾力性を有する材料からなる組立て式什器用のプレート。
【請求項２】
弾力性を有する材料が、屑圧縮材，紙，ベニヤ，合成樹脂等の弾性材料からなる請求項１の組立て式什器用のプレート。
【請求項３】
突起（２）の基端部がＲ面取り加工され、Ｒのサイズが、両Ｒ間の距離が、Ｒの途中で挿入孔（３ａ），（３ｂ），（３ｃ），（３ｄ）の幅サイズと一致するように設定された請求項１又は２の組立て式什器用のプレート。
【請求項４】
板の形状が平面視で方形である請求項１又は２又は３の組立て式什器用のプレート。
【請求項５】
板の形状が平面視で長方形である請求項１又は２又は３の組立て式什器用のプレート。
【請求項６】
突起（２）が少なくとも相対する一対の辺に、平面視における板面（１Ｓ）の中心（Ｃ）又は所定の中心線（ＣＶ），（ＣＨ）に対して点対称又は線対称の位置に配置された請求項４又は５の組立て式什器用のプレート。
【請求項７】
突起（２）が、平面視における板の短辺（１ａ）に、板面（１Ｓ）の中心点（Ｃ）又は所定の中心線（ＣＶ），（ＣＨ）に対して点対称又は線対称の位置に配置された請求項５の組立て式什器用のプレート。
【請求項８】
一つの辺に２個以上突起（２）が設けられた請求項１又は２又は３又は４又は５又は６又は７の組立て式什器用のプレート。
【請求項９】
突起（２）が板に一体成形され、平面視で方形をなし、自由端側の両端部がＲ面取りされた形状をなす請求項１又は２又は３又は４又は５又は６又は７又は８の組立て式什器用のプレート。
【請求項１０】
挿入孔（３ａ）が、板面（１Ｓ）における突起（２）に対向する位置に、突起（２）間のピッチと同一ピッチで設けられた請求項８又は９の組立て式什器用のプレート。
【請求項１１】
挿入孔（３ａ），（３ｂ）が、板面（１Ｓ）における突起（２）に対向する位置を含め、板の辺（１ａ），（１ｂ）に沿って同一ピッチで複数設けられた請求項１０の組立て式什器用のプレート。
【請求項１２】
板の辺（１ａ），（１ｂ）に沿って設けられた挿入孔（３ａ），（３ｂ）が、平面視における板面（１Ｓ）の中心点（Ｃ）又は所定の中心線（ＣＶ），（ＣＨ）に対して点対称又は線対称の位置に配置された請求項１１の組立て式什器用のプレート。
【請求項１３】
挿入孔（３ｃ）が、平面視における板面（１Ｓ）の中心点（Ｃ）を中心として、突起（２）間のピッチと同一ピッチで縦方向に設けられた請求項１１又は１２の組立て式什器用のプレート。
【請求項１４】
挿入孔（３ｄ）が、平面視における板面（１Ｓ）の中心点（Ｃ）を中心として、突起（２）間のピッチと同一ピッチで横方向に設けられた請求項１１又は１２又は１３の組立て式什器用のプレート。
【請求項１５】
プレートの板面（１Ｓ）に物品の展示用の孔（４），（６），（７），（８）を複数穿設した請求項１又は２又は３又は４又は５又は６又は７又は８又は９又は１０又は１１又は１２又は１３又は１４の組立て式什器用のプレート。
【請求項１６】
展示用の孔（４），（６），（７），（８）が平面視で円形状又は円弧形状又は長孔形状を有し、所定の規則に則って配置された請求項１５の組立て式什器用のプレート。
【請求項１７】
請求項１又は２又は３又は４又は５又は６又は７又は８又は９又は１０又は１１又は１２又は１３又は１４又は１５又は１６に記載のプレート（１）を部品とし、所定のプレート（１）の挿入孔（３ａ），（３ｃ），（３ｄ）に、他のプレートの突起（２）を挿入することによって形成される組立て式什器。
【請求項１８】
少なくとも組立て式什器を構成する底板と左右側板と天板と棚板とを請求項１０又は１１又は１２又は１３又は１４に記載のプレートから構成し、底板及び天板の突起（２）を、側板の突起（２）に対向する挿入孔（３ａ）に挿入することによって組立て式什器の周壁を形成する請求項１７の組立て式什器。
【請求項１９】
少なくとも左右両側板を請求項１３又は１４に記載のプレートから構成し、棚板を請求項１５又は１６に記載のプレートから構成し、側板の縦方向に設けられた挿入孔（３ｃ）又は横方向に設けられた挿入孔（３ｄ）に、棚板の突起（２）を挿入することによって、棚板を取り付け、棚板を補強部材と兼用した請求項１８の組立て式什器。
【請求項２０】
底板と左右側板と天板と棚板とが全て同一のプレートからなる請求項１９の組立て式什器。
【請求項２１】
複数の請求項１７又は１８又は１９又は２０に記載の組立て式什器の所定のプレートの挿入孔（３ａ），（３ｃ），（３ｄ）に、他のプレートの突起（２）を挿入することによって複数の組立て式什器が連結された組立て式什器。
【考案の詳細な説明】
【技術分野】
【０００１】
この考案は物品等を展示及び整理する組立て式什器用のプレートと、該プレートからなる組立て式什器に関する。
【背景技術】
【０００２】
従来、物品の展示や整理等を行なうための什器として、発泡ポリスチレン材等からなる平板により側板，仕切板，底板等の部材を形成し、仕切板や底板に挿入舌片（突起）を外周に向かって突出させて設けるとともに、側板に上記挿入舌片が挿入される嵌合孔を設け、挿入舌片を嵌合孔挿入することによって組立てられる組立て式什器が公知となっている（例えば特許文献１参照）。
【特許文献１】登録実用新案第３０３６９９４号公報
【考案の開示】
【考案が解決しようとする課題】
【０００３】
しかし、上記組立て式什器を構成する各部品は、什器の最終形状に合った専用品であり、各々に応じて突起や嵌合孔を設計して設ける必要がある。このため各部品の設計は容易ではなく、用途に応じた各組立て式什器の製造は容易ではないという欠点があった。
【０００４】
また各部品が専用品であるため、什器を組立てる際は、組立て説明書に記載された順にしたがって各部品を正確に連結して組立てなければならず、必ずしも組立てが容易であるとはいえない。また基本的に組立て式什器は、予め決められた形状以外の形状に変更することはできず、什器の形状変更が容易でないという欠点もあった。
【課題を解決するための手段】
【０００５】
上記課題を解決するための本考案の組立て式什器用のプレートは、第１に、所定形状の板から外周側に向かって突出する複数の突起２と、該突起２と同一サイズの突起を、所定の摩擦抵抗を伴って挿入及び脱抜することが可能な挿入孔３ａ，３ｂ，３ｃ，３ｄが複数穿設された弾力性を有する材料からなることを特徴としている。
【０００６】
第２に、弾力性を有する材料が、屑圧縮材，紙，ベニヤ，合成樹脂等の弾性材料からなることを特徴としている。
【０００７】
第３に、突起２の基端部がＲ面取り加工され、Ｒのサイズが、両Ｒ間の距離が、Ｒの途中で挿入孔３ａ，３ｂ，３ｃ，３ｄの幅サイズと一致するように設定されたことを特徴としている。
【０００８】
第４に、板の形状が平面視で方形であることを特徴としている。
【０００９】
第５に、板の形状が平面視で長方形であることを特徴としている。
【００１０】
第６に、突起２が少なくとも相対する一対の辺に、平面視における板面１Ｓの中心Ｃ又は所定の中心線ＣＶ，ＣＨに対して点対称又は線対称の位置に配置されたことを特徴としている。
【００１１】
第７に、突起２が、平面視における板の短辺１ａに、板面１Ｓの中心点Ｃ又は所定の中心線ＣＶ，ＣＨに対して点対称又は線対称の位置に配置されたことを特徴としている。
【００１２】
第８に、一つの辺に２個以上突起２が設けられたことを特徴としている。
【００１３】
第９に、突起２が板に一体成形され、平面視で方形をなし、自由端側の両端部がＲ面取りされた形状をなすことを特徴としている。
【００１４】
第１０に、挿入孔３ａが、板面１Ｓにおける突起２に対向する位置に、突起２間のピッチと同一ピッチで設けられたことを特徴としている。
【００１５】
第１１に、挿入孔３ａ，３ｂが、板面１Ｓにおける突起２に対向する位置を含め、板の辺１ａ，１ｂに沿って同一ピッチで複数設けられたことを特徴としている。
【００１６】
第１２に、板の辺１ａ，１ｂに沿って設けられた挿入孔３ａ，３ｂが、平面視における板面１Ｓの中心点Ｃ又は所定の中心線ＣＶ，ＣＨに対して点対称又は線対称の位置に配置されたことを特徴としている。
【００１７】
第１３に、挿入孔３ｃが、平面視における板面１Ｓの中心点Ｃを中心として、突起２間のピッチと同一ピッチで縦方向に設けられたことを特徴としている。
【００１８】
第１４に、挿入孔３ｄが、平面視における板面１Ｓの中心点Ｃを中心として、突起２間のピッチと同一ピッチで横方向に設けられたことを特徴としている。
【００１９】
第１５に、プレートの板面１Ｓに物品の展示用の孔４，６，７，８を複数穿設したことを特徴としている。
【００２０】
第１６に、展示用の孔４，６，７，８が平面視で円形状又は円弧形状又は長孔形状を有し、所定の規則に則って配置されたことを特徴としている。
【００２１】
また上記構成による組立て式什器用のプレートによって形成される組立て式什器は、第１７に、上記第１又は２又は３又は４又は５又は６又は７又は８又は９又は１０又は１１又は１２又は１３又は１４又は１５又は１６に記載の特徴を有するプレート１を部品とし、所定のプレート１の挿入孔３ａ，３ｃ，３ｄに、他のプレートの突起２を挿入することによって形成されることを特徴としている。
【００２２】
第１８に、少なくとも組立て式什器を構成する底板と左右側板と天板と棚板とを上記第１０又は１１又は１２又は１３又は１４に記載の特徴を有するプレートから構成し、底板及び天板の突起２を、側板の突起２に対向する挿入孔３ａに挿入することによって組立て式什器の周壁を形成することを特徴としている。
【００２３】
第１９に、少なくとも左右両側板を上記第１３又は１４に記載の特徴を有するプレートから構成し、棚板を請求項１５又は１６に記載のプレートから構成し、側板の縦方向に設けられた挿入孔３ｃ又は横方向に設けられた挿入孔３ｄに、棚板の突起２を挿入することによって、棚板を取り付け、棚板を補強部材と兼用したことを特徴としている。
【００２４】
第２０に、底板と左右側板と天板と棚板とが全て同一のプレートからなることを特徴としている。
【００２５】
第２１に、上記特徴の第１７又は１８又は１９又は２０に記載の複数の組立て式什器の所定のプレートの挿入孔３ａ，３ｃ，３ｄに、他のプレートの突起２を挿入することによって複数の組立て式什器が連結されたことを特徴としている。
【考案の効果】
【００２６】
以上のように構成される本考案のプレートによると、該プレートには、突起とその突起と同一サイズの突起に対応する挿入孔とが設けられているため、複数のプレートを組み合わせ、所定のプレートの挿入孔に他のプレートの突起を挿入することによって、組立て式什器を簡単に形成することができるという効果がある。
【００２７】
このとき突起と挿入孔のサイズは決まっているため、突起の突出位置と挿入孔の配置によって、組立て式什器を様々な形状とすることができ、また一種類のプレートによって什器を組立てることもできるため、什器にかかるコストを低く押さえることができるという効果もある。
【００２８】
なおプレートが屑圧縮材，紙，ベニヤ，合成樹脂等の弾性材料からなり弾力性を有しており、挿入孔は、所定の摩擦抵抗を伴って突起の挿入及び脱抜が可能であるため、挿入孔に対する突起をガタを小さくすることができ、什器の形状維持性能が比較的高く、且つ組立て式什器の分解も容易となるという利点がある。また什器の設置場所，用途，展示対象の物品等に応じた材料を選択することもできる。
【００２９】
一方突起の基端部がＲ面取り加工され、Ｒのサイズが、両Ｒ間の距離が、Ｒの途中で挿入孔の幅サイズと一致するように設定することにより、突起を挿入孔に挿入し、その最奥まで突起を移動させる過程で、そのＲ部分が突起と挿入孔との間の幅方向の嵌め合い誤差を吸収し、挿入孔に挿入された突起の幅方向のガタをなくすことができる。
【００３０】
なお板の形状を平面視で方形とすることによって、全体として方形をなす組立て式什器を簡単に形成することができ、特に板の形状を正方形とすることにより、プレートの方向性が定まり、組立て式什器の組立てを簡単に行うことができる。
【００３１】
また板の形状が方形又は長方形をなす場合に、突起２を少なくとも相対する一対の辺に、板面１Ｓの中心Ｃ又は所定の中心線ＣＶ，ＣＨに対して点対称又は線対称の位置に配置することによって、什器の組立て時にプレートの裏表又は左右又は上下にとらわれずに簡単に什器を組立てることができるという利点がある。
【００３２】
そして一つの辺に２個以上突起を設けることによって、突起と挿入孔との組み合わせのバリエーションが増加し、組立て式什器の形状バリエーションが増加する。特に平面視で長方形をなす板の短辺に２つ以上の突起を設けることによって、長辺を使用して大きな組立て式什器を簡単に形成することが可能となる。
【００３３】
なお突起が、板に一体成形された平面視で方形をなし、自由端側の両端部がＲ面取りされた形状である場合は、突起を板のカッティング等によって簡単に形成することができ、また挿入孔への挿入開始が容易となる。
【００３４】
一方挿入孔を、板面における突起に対向する位置に、突起間のピッチと同一ピッチで設けることによって、複数の突起を同時に挿入孔に挿入することができ、２つのプレートが安定して組み立てられるという利点がある。特に挿入孔を、板面における突起に対向する位置を含め、プレートの各辺に沿って同一ピッチで複数設けられたことによって、所定のプレートを他のプレートに沿って自由に組付けることができ、組立て式什器の形状バリエーションが増加する。
【００３５】
そして板の辺に沿って設けられた挿入孔を、平面視における板面の中心点又は所定の中心線に対して点対称又は線対称の位置に配置することにより、対称形状の什器を簡単に形成することができる。
【００３６】
さらに挿入孔を、平面視における板面の中心点を中心として、突起間のピッチと同一ピッチで縦方向又は横方向に設けることによって、プレートの板面の中央に、縦（垂直）方向又は横（水平）方向にプレートを組付けることができ、該プレートを棚板とすることができると共に、上記プレートを什器の形状を維持する補強と兼用することもできる。
【００３７】
このときプレートの板面に物品の展示用の孔を複数穿設することによって、該孔を使用して物品等を掛止して展示することができ、金具等を使用してメガネ用のチェーン等を簡単に展示することができる。そして展示用の孔を、平面視で円形状又は円弧形状又は長孔形状とし、所定の規則に則って配置することによって、物品等を引っ掛ける孔を自由に選択することができる他、また各孔によって什器の模様を形成することができる。
【００３８】
一方各構造のプレートを部品として、所定のプレートの挿入孔に、他のプレートの突起を挿入することによって形成される什器は、前述のように様々な形状に容易に形成され、汎用の組立て式什器が簡単に製造され、且つプレートの組み合わせ方を変更することによって、什器の形状変更を容易に行うことができる。そして任意のプレートの突起を他のプレートの挿入孔に挿入するだけであるため、什器の組立ても簡単である。また組立て式什器を簡単に複数のプレートに分解することができ、分解によって組立て式什器を簡単に持ち運び移設することができる。
【００３９】
このとき底板及び天板の突起を、側板の突起に対向する挿入孔に挿入することによって、簡単に組立て式什器の周壁を形成することができ、さらに側板の縦方向又は横方向に設けられた挿入孔に、棚板の突起を挿入することによって、縦横自在の棚板を取り付け、該棚板の孔を使用してチェーン等を簡単に展示できる他、メガネ等を棚板に置いて簡単に展示することができるという利点もある。
【００４０】
そして底板と左右側板と天板と棚板とを全て同一のプレートから構成することにより、什器にかかる製造及び材料費のコストを低く押さえることができる他、組立て式什器の部品点数を少なくすることができ、さらに部品がすべて同じものとなるため、組立てミスも少なくなり組立てが簡単となる。
【００４１】
なお組立て式什器の所定のプレートの挿入孔に、他のプレートの突起を挿入することによって複数の組立て式什器が連結でき、設置場所に応じて縦横に延長して什器を組立てることができるという利点がある。
【考案を実施するための最良の形態】
【００４２】
図１は本考案の組立て式什器用プレートの斜視図である。なお什器は、日常使用する家具や道具、器物の他、棚等を含む。プレート１は、木屑圧縮材を材料とする一定の厚みを有する略長方形の板から外周側に向かって複数の突起２が突出した形状となっている。上記木屑圧縮材は、木材等のチップを接着剤と混合して熱成形した弾力性に富んだ従来公知のものである。突起２は、長方形をなす板の対向する短辺１ａに、外周側に向かって突出して２つ設けられている。突起２は板と一体形成されている。
【００４３】
各短辺１ａに形成された突起２は、平面視で両短辺１ａの中心をつないだ縦方向の中心線ＣＶを対称線として線対称となっている。両短辺１ａに形成された突起２は、平面視で両長辺１ｂの中心をつないだ横方向の中心線ＣＨを対称線として線対称となっている。
【００４４】
上記プレート１の板面１Ｓには、各突起２に向かい合う位置で、短辺１ａに沿って挿入孔３ａが形成されている。板面１Ｓには、各長辺１ｂに沿って複数（本実施形態においては４つ）の挿入孔３ｂも形成されている。長辺１ｂに沿う挿入孔３ｂは、平面視で上記中心線ＣＨを対称線として線対称となっている。
【００４５】
さらに板面１Ｓには、板面１Ｓの中心点Ｃを中心とする、縦方向に２つの挿入孔３ｃと、横方向に２つの挿入孔３ｄも形成されている。縦方向の２つの挿入孔３ｃと、横方向の２つの挿入孔３ｄとは、中心点Ｃを中心として十字状をなす。
【００４６】
各挿入孔３ａ，３ｂ，３ｃ，３ｄは、上記突起２と同一サイズの突起、例えば他のプレート１の突起２の所定の摩擦抵抗を伴った挿入及び脱抜が可能なサイズとなっている。具体的には、全ての挿入孔３ａ，３ｂ，３ｃ，３ｄが同一形状で、突起２の幅ｈ及び厚さｔに対して所定の嵌合誤差分だけ大きな寸法の幅ｈ'及び長さｌを持つ平面視長方形状をなし、板面１Ｓを貫通している。
【００４７】
一方短辺１ａに沿う２つの挿入孔３ａ間のピッチと、長辺１ｂに沿う４つの挿入孔３ｂ間のピッチと、中心点Ｃを中心とする縦方向の２つの挿入孔３ｃ間のピッチと、中心点Ｃを中心とする横方向の２つの挿入孔３ｃ間のピッチは、全て同一で、各短辺１ａに並設される２つの突起２間のピッチと同じである。
【００４８】
上記のように所定のプレート１の挿入孔３ａ又は３ｂ又は３ｃ又は３ｄに対して、他のプレートの突起２を所定の摩擦抵抗を伴って挿入することができ、同一方向に隣接する挿入孔３ａ又は３ｂ又は３ｃ又は３ｄ間のピッチが突起２のピッチと同一であるため、同一方向に隣接する挿入孔３ａ又は３ｂ又は３ｃ又は３ｄに、一方の短辺１ａに形成される２つの突起２を同時に挿入することができる。
【００４９】
なお図２に示されるように、突起２の自由端側の両端は、Ｒ面取り加工されている。このため、図２（Ａ）に示されるように、挿入孔３ａ，３ｂ，３ｃ，３ｄへの突起２の挿入開始を容易に行い、図２（Ｂ）に示されるように、挿入孔３ａ，３ｂ，３ｃ，３ｄへの突起２の挿入作業を続行し、図２（Ｃ）に示されるように、挿入孔３ａ，３ｂ，３ｃ，３ｄへの突起２の挿入作業を終了することができる。
【００５０】
なお図２（Ｃ）の拡大図に示すように突起２の両基端部はＲ面取り加工されている。Ｒのサイズは両Ｒ間の距離が、Ｒの途中で挿入孔３ａ，３ｂ，３ｃ，３ｄの幅ｈ'と一致するように設定されている。これにより挿入孔３ａ又は３ｂ又は３ｃ又は３ｄと突起２との幅方向の嵌め合い誤差が上記Ｒによって吸収され、挿入孔３ａ又は３ｂ又は３ｃ又は３ｄへの突起２の挿入終了時に、突起２が幅方向にガタツクことはない。
【００５１】
またプレート１の板面１Ｓには、上記挿入孔３ａ，３ｂ，３ｃ，３ｄの他、後述するように物品等を展示するための物品掛止用の平面視で円形状をなす丸孔４，平面視で１／４円弧状長孔をなす１／４円弧孔６，平面視で１／２円弧状長孔をなす１／２円弧孔７，平面視で直線状の長孔８が設けられている。各丸孔４，１／４円弧孔６，１／２円弧孔７，長孔８は規則的に配置されている。
【００５２】
プレート１が以上のように構成されているため、５枚の同一のプレート１を使用して、図３に示されるように、組立て式の什器１６を形成することができる。該組立て式什器１６は、上記プレート１が、底板９，天板１１，左側板１２，右側板１３，棚板１４を構成している。
【００５３】
底板９，天板１１，左右側板１２，１３からなる周壁は、底板９及び天板１１の各短辺１ａに設けられる１組（２つ）の突起２が、左右側板１２，１３の各短辺１ａに沿って形成される１組（２つ）の挿入孔３ｂに挿入されて形成されている。
【００５４】
棚板１４は、各短辺１ａに設けられる１組の突起２が、左右側板１２，１３の縦方向の１組（２つ）の挿入孔３ｃに挿入され、底板９，天板１１，左右側板１２，１３に対して垂直に取り付けられている。棚板１４は、周壁の形状を維持する補強を兼用している。組立てに使用していない挿入孔３ｂ，３ｄや、丸孔４又は１／４円弧孔６又は１／２円弧孔７又は長孔８は、本組立て式什器１６の模様にもなっている。
【００５５】
本組立て式什器１６は、以上のように構成されており、展示用のボール３０に取り付けられたメガネ用のチェーン３１，３２，３３を、天板１１の丸孔４又は１／４円弧孔６又は１／２円弧孔７又は長孔８に挿入することにより、ボール３０によってメガネ用のチェーン３１，３２，３３が天板１１に係止され、これによってメガネ用のチェーン３１，３２，３３が展示される。
【００５６】
なお図示しないが、左右側板１２，１３や垂直の棚板１４の丸孔４又は１／４円弧孔６又は１／２円弧孔７又は長孔８に、展示用のボール３０に取り付けられたメガネ用のチェーン３１，３２，３３を挿入して展示することもできる。また図示しない掛止用の金具を予め丸孔４又は１／４円弧孔６又は１／２円弧孔７又は長孔８に引っ掛けておき、その金具にチェーン等の物品を掛止し展示することもできる。
【００５７】
さらに天板１１や棚板１４、左右側板１２，１３の組立てに使用していない挿入孔３ｂ，３ｄを使用して上記同様にメガネ用のチェーンを展示することもできる。なおメガネ用のチェーン３１，３２，３３以外にも、他のチェーンや紐、チェーン付きのアクセサリーや時計、メダル等も同様にして展示することができる。この場合展示用のボール３０が不要な場合もある。
【００５８】
図４は他の組立て式の什器１７を示している。図３の什器と同様、４枚のプレート１が底板９，天板１１，左右側板１２，１３を構成する周壁を形成している。プレート１からなる棚板１４は、周壁に対して平行となるように、各短辺１ａの１組の突起２が、左右側板１２，１３の横方向の１組の挿入孔３ｄに挿入されて取り付けられている。
【００５９】
当該組立て式什器１７の場合は、図３に示されるものと同様にメガネ用のチェーン等を展示することができる（図示しない）。また図示するように底板９上，天板１１上，棚板１４上にメガネ４１，４２，４３などの物品を載置することもできる。
【００６０】
図５は図４の什器１７の天板１１と底板９を前後にずらした什器１８を示している。底板９の各短辺１ａに設けられた突起２のうち、後方の突起２のみを左右側板１２，１３の下端前方位置の挿入孔３ａに挿入している。また天板１１の各短辺１ａに設けられた突起２のうち、前方の突起２のみを左右側板１２，１３の上端後方位置の挿入孔３ａに挿入している。
【００６１】
図５に示される什器１８の場合も図４に示される什器１７と同様に、各底板９上，天板１１上，棚板１４上にメガネ４１，４２，４３などの物品を載置することができる。この例では展示スペース（底板９上，天板１１上，棚板１４上）が前後にずれているので、什器１７に比してメガネ４１，４２，４３などの物品の展示効果が高い。
【００６２】
図６は他の形状の什器２６が２つ連結された組立て式什器の構成例を示す。この例では図３に示す什器１６の天板１１の上に左右側板２１，２２が縦方向に設けられている。具体的には、左右側板２１，２２の下方の短辺１ａ側の突起２は天板１１の短辺１ａ側の挿入孔３ａに挿入されて形成されている。
【００６３】
そして上記左右側板２１，２２の上方に天板２３が設けられている。具体的には左右側板２１，２２の短辺１ａ側の各突起２が天板２３の短辺１ａ側の挿入孔３ａに挿入されて形成されている。また天板１１，天板２３間にその板面１Ｓが周壁に対して垂直となるように棚板２４が縦方向に挿入取り付けされている。棚板２４は天板１１，２３の縦方向の挿入孔３ｃに挿入されて形成されている。すなわち什器１６の上方にさらに周壁を形成することによって什器２６が形成されている。
【００６４】
図６に示すように上記の什器２６を並べる。周壁に対して垂直となるように横方向に設けられた棚板１４，１４間にプレート１を用いて什器２６同士を連結する。具体的には、連結板２７の短辺１ａ側の突起２を棚板１４，１４の横方向の挿入孔３ｄに挿入し連結している。
【００６５】
また周壁に対して垂直となるように縦方向に挿入された棚板２４，２４間にも同様にプレート１を用いて什器２６同士を連結する。具体的には、連結板２８の短辺１ａ側の突起２を棚板２４の横方向の挿入孔３ｄに挿入し連結している。すなわち什器２６，２６は連結板２７，２８によって連結され新たな什器２９を構成している。
【００６６】
上記の什器２９に物品を展示する際には、上述したように各天板１１，２３にメガネ用のチェーン３１，３２，３３等をボール３０を利用し掛止して展示することができる。また各底板９上又は天板１１，２３上にもメガネ４１，４２，４３などの物品を載置し展示することができる。さらに連結板２８上に物品を載置することができるとともに、連結板２７，２８にメガネ用のチェーン３１，３２，３３等の物品を掛止し展示することもできる。
【００６７】
上記構成による組立て式什器用のプレートに設けられた突起，挿入孔，展示用の孔は上記態様に限らない。例えばプレートの中心に斜め方向に挿入孔を設けるなど、そのサイズ，形状，個数，形成箇所等は自由に変更可能である。
【００６８】
板の材質は、弾性材料であれば良いので、木屑圧縮材だけでなく、紙，ベニヤ，合成樹脂等の材料から自由に選択できる。さらに板の幅や奥行きの異なる数種類の板を製造し什器を組立てることにより、組立てられる什器のバリエーションを増やすことができる。
【００６９】
その他、プレートの長辺側の挿入孔に突起２を挿入して背板を設けることもできるほか、本考案の板による組立て式什器は図示する例に限らず、他の組み合わせによる什器を形成することもできる。例えば上記の什器２９にさらに連結板を連結することによって、四方に什器を延長し設置場所に応じた什器を自由に形成することができる。
【００７０】
以上に示されるように、１種類のプレート１のみをパーツとして様々な形状の組立て式什器が形成され、パーツの種類が少ないため、簡単に組立て式什器を組み立てることができ、また場合によっては組立て式什器の特別な設計も不要となる。これにより従来設計や組立てが困難な組立て式什器を簡単に提供することが可能となる。
【００７１】
また比較的簡単に各プレート１を抜き、上記什器を分解することができる。分解後は１種類のパーツ（プレート１）のみであるため、運搬が容易である。また前述のように什器の組立ては容易である。このためプレート１への分解によって、什器を容易に搬送し、移動させることができる。
【産業上の利用可能性】
【００７２】
この考案は主としてメガネやメガネ用のチェーンの展示のほか、書籍，食器，雑貨，食品等の商品の展示及び整理にも応用することができる。
【図面の簡単な説明】
【００７３】
【図１】本考案の組立て式什器用のプレートの斜視図である。
【図２】本考案のプレートの突起を挿入孔に挿入する状態を示す平面図であり、（Ａ）は挿入前、（Ｂ）は挿入途中、（Ｃ）挿入後の状態を示す。
【図３】本考案の組立て式什器用のプレートを使用して組立てられる什器の一例であって、眼鏡用のチェーンを引っ掛けた状態を示す斜視図である。
【図４】本考案の組立て式什器用の板を使用して組立てられる什器の他の例である。
【図５】本考案の組立て式什器用のプレートを使用して組立てられる什器の他の例であって、眼鏡を展示した状態を示す。
【図６】本考案の組立て式什器用のプレートを使用して組立てられる什器の他の例を示すとともに、什器同士が連結された状態を示す。
【符号の説明】
【００７４】
１      プレート
１Ｓ    板面
１ａ    短辺
１ｂ    長辺
２      突起
３ａ    挿入孔
３ｂ    挿入孔
３ｃ    挿入孔
３ｄ    挿入孔
４      孔
６      孔
７      孔
８      孔
Ｃ      中心
ＣＶ    中心線
ＣＨ    中心線
【図１】
0003108262.tif 000003
【図２】
0003108262.tif 000004
【図３】
0003108262.tif 000005
【図４】
0003108262.tif 000006
【図５】
0003108262.tif 000007
【図６】
0003108262.tif 000008